(57)【要約】  【課題】圧縮機を冷却するファンに異常が発生して停止している場合、圧縮機の圧力が上昇するため、圧縮機を低速で駆動し圧縮機の故障を防止している。  【解決手段】複数の凝縮器ファン６ａ、６ｂを有し、それぞれのファンを同一電源に並列接続するので、１つのファンが異常により停止した場合でも、別のファンを最高回転数で駆動することで凝縮器の熱交換の温度上昇を抑え、凝縮温度の異常上昇を抑制できるため圧縮機の故障を防止できる。【選択図】図１
2005140414.tif 000002
【特許請求の範囲】
【請求項１】
直流電源を電源とし、印加電圧により回転数を可変出来る複数の凝縮器ファンを有する冷蔵庫において、各々の凝縮器ファンは同一の電源に並列接続されたことを特徴とする冷凍冷蔵ユニット。
【請求項２】
複数の凝縮器ファンの内、１つの凝縮器ファンが異常による停止状態となったとき、他の凝縮器ファンを正常に駆動できる直流電源を有することを特徴とする請求項１に記載の冷凍冷蔵ユニット。
【請求項３】
凝縮器ファン異常停止検出手段を有し、少なくとも１つの凝縮器ファンが異常による停止状態であることを検出した場合、異常状態である凝縮器ファンの出力を停止し、他の凝縮器ファンのみを駆動する請求項１または請求項２に記載の冷凍冷蔵ユニット。
【請求項４】
少なくとも１つの凝縮器ファンが異常による停止状態であることを検出した場合、異常状態である凝縮器ファンの出力を停止し、残りの凝縮器ファンを最大回転数で駆動することを特徴とする請求項１から請求項３のいずれか一項に記載の冷凍冷蔵ユニット。
【請求項５】
駆動回転数が可変出来る圧縮機と、凝縮器に設置し凝縮温度を検出する凝縮温度検出器を有し、少なくとも１つの凝縮器ファンが異常による停止状態であることを検出した場合、凝縮温度が一定温度以上であるとき、圧縮機の駆動回転数の上限値を制限することを特徴とした請求項１から請求項４のいずれかに一項に記載の冷凍冷蔵ユニット。
【請求項６】
少なくとも１つの凝縮器ファンが異常による停止状態であることを検出した場合、凝縮温度が一定温度以上であるとき、圧縮機の駆動回転数の下限値を制限することを特徴とした請求項１から請求項５のいずれか一項に記載の冷凍冷蔵ユニット。
【請求項７】
凝縮温度検出器の温度上昇の傾きにより、凝縮器ファンの異常を検出することを特徴とする請求項１から請求項６に記載の冷凍冷蔵ユニット。
【請求項８】
表示手段を有し、凝縮器ファンの異常を検出したとき、異常のあるファンを特定して警告表示を行うことを特徴とする請求項１から請求項７のいずれか一項に記載の冷凍冷蔵ユニット。
【請求項９】
請求項１から８のいずれか一項に記載の冷凍冷蔵ユニットを冷蔵庫本体上部に備え冷媒としてＨＣ冷媒を使用したことを特徴とする冷蔵庫。
【発明の詳細な説明】
【技術分野】
【０００１】
本発明は、冷凍冷蔵ユニット及びこれを用いた冷蔵庫に関するものであり、特に業務用の大型冷蔵庫に関するものである。
【背景技術】
【０００２】
近年、地球環境保護に対する人々の意識は非常に高く、家電製品の消費電力の低減が強く求められている。このような背景の中、冷蔵庫における消費電力の低減は非常に重要な技術の一つであり、一般家庭にて使用されている冷蔵庫のほとんどに、ＤＣブラシレスモータを採用した圧縮機とＤＣファンモータが採用されている。飲食店舗等で主に使用される業務用冷蔵庫においても、消費電力の低減技術は非常に重要な技術であるが、冷蔵庫に異常が発生したとき、如何に冷蔵庫の庫内を冷却状態に保ち、多量に貯蔵されている食品を保持できるかも同様に重要な技術である。
【０００３】
従来の冷蔵庫の制御装置としては、圧縮機の冷却ファンが故障したとき、圧縮機を低速で駆動する事により圧縮機の故障を未然に防ぐもの（例えば、特許文献１参照）がある。
【０００４】
以下図面を参照しながら、上記従来の冷蔵庫の制御装置を説明する。回転数を可変出来る圧縮機１０１と、前記圧縮機１０１を冷却する為の圧縮機用送風機１０２を有し、圧縮機１０１は圧縮機駆動手段１０３により駆動される。庫内温度センサ１０４で検出された信号をもとに庫内温度検出手段１０５で温度を検出し、検出された庫内温度を庫内温度判定手段１０６で設定温度より高いか低いかを判定し、高い場合圧縮機１０１を駆動し、低い場合は圧縮機１０１を停止させる。
【０００５】
またこのとき外気温度センサ１０７で検出した信号により外気温度検出手段１０８で外気温度を検出し、外気温度判定手段１０９で、検出された外気温度が予め設定された外気温度より高くかつ、庫内温度判定手段により、庫内温度が高いと判定したときは、圧縮機用送風機制御手段１１０は圧縮機用送風機を駆動する指令を圧縮機用送風機駆動手段１１１に出力することで、圧縮機用送風機１０２を駆動する。
【０００６】
また、圧縮機用送風機１０２の運転状態を検知する為に回転検知手段１１２を設け、前記回転検知手段１１２により検出された状態が回転又は停止の判断を回転判定手段１１３で行う。また圧縮機制御手段１１４は庫内温度判定手段１０６と前記回転判定手段１１３により圧縮機１０１の運転状態を制御し、外気温度および庫内温度が設定温度より高いと判断され、圧縮機用送風機１０２は駆動すべき状況にも関わらず、圧縮機用送風機が停止していると判定された場合は、圧縮機回転手段１１５で、圧縮機１０１を低速で駆動させる用にする。
【特許文献１】特開平８−２７１１０９号公報
【発明の開示】
【発明が解決しようとする課題】
【０００７】
しかしながら、上記従来の構成では、圧縮機を冷却するファンは１つであるため、そのファンに異常が発生して停止している場合、圧縮機を低速で駆動し、さらに異常を検出して使用者に報知するが、冷媒の凝縮温度の上昇は避けられず、圧縮機の吸入圧力が上昇してしまう。このとき、圧縮機を低速で駆動すると、圧縮器は脱調により停止してしまう可能性があり、それに伴い冷蔵庫の庫内温度が上昇してしまうという課題があった。
【０００８】
本発明の他の目的は、凝縮器を冷却するファンモータに異常があったときも、冷蔵庫内
の温度上昇を抑制すると共に、凝縮器の温度上昇を抑制する事で、圧縮機の故障を防止することを目的とする。
【課題を解決するための手段】
【０００９】
本発明は、直流電源を電源とし、印加電圧により回転数を可変出来る複数の凝縮器ファン有する冷蔵庫において、各々の凝縮器ファンは同一の電源に並列接続されるので、１つの凝縮器ファンに異常が発生し、停止状態にある場合でも他の凝縮器ファンは正常な為、そのファンを駆動する事で、凝縮器の放熱が行え、凝縮器の異常温度上昇による圧縮機の温度上昇を防止できるので圧縮機の故障を防げる。
【発明の効果】
【００１０】
本発明は、直流電源を電源とし、印加電圧により回転数を可変出来る複数の凝縮器ファンを有する冷却システムにおいて、各々の凝縮器ファンは同一の電源に並列接続するので、１つの凝縮器ファンに異常が発生し、停止状態にある場合でも、他の凝縮器ファンの駆動により凝縮器の放熱を行うことが出来るので、凝縮器の異常温度上昇による圧縮機温度上昇を抑制でき、圧縮機の故障を防止することができる。
【発明を実施するための最良の形態】
【００１１】
本発明の請求項１に記載の発明は、直流電源を電源とし、印加電圧により回転数を可変出来る複数の凝縮器ファン有する冷蔵庫において、各々の凝縮器ファンは同一の電源に並列接続されるので、１つの凝縮器ファンに異常が発生し、停止状態にある場合でも他の凝縮器ファンは正常な為、そのファンを駆動する事で、凝縮器の放熱が行え、凝縮器の異常温度上昇による圧縮機の温度上昇を防止できるので圧縮機の故障を防げる。
【００１２】
請求項２に記載の発明は、請求項１に記載の発明に、複数の凝縮器ファンの内、１つの凝縮器ファンが異常による停止状態となったとき、他の凝縮器ファンを正常に駆動できる直流電源を有するため、１つの凝縮器ファンがロック状態になり電流が増大した場合でも、直流電源の出力電圧が規定の電圧より低下することがなく、正常な凝縮器ファンは規定の回転数で駆動出来るため、凝縮器の異常温度上昇による圧縮機の温度上昇を防止できるので、圧縮機の故障を防止することができる。
【００１３】
請求項３に記載の発明は、請求項１または請求項２に記載の発明に、凝縮器ファン異常停止検出手段を有し、少なくとも１つの凝縮器ファンが異常による停止状態であることを検出した場合、異常状態である凝縮器ファンの出力を停止し、他の凝縮器ファンのみを駆動するので、直流電源の出力容量を小さくすることが可能となり、直流電源の小型化・低コスト化が実現できる。
【００１４】
請求項４に記載の発明は、請求項１から請求項３に記載の発明に、少なくとも１つの凝縮器ファンが異常による停止状態であることを検出した場合、異常状態である凝縮器ファンの出力を停止し、残りの凝縮器ファンを最大回転数で駆動するので、凝縮器ファン１つが停止した事による風量低下を正常な凝縮器ファンで補えるため、凝縮器の温度上昇を抑制できるので、圧縮機の温度上昇さらに防止し、圧縮機の故障を防ぐ事ができる。
【００１５】
請求項５に記載の発明は、請求項１から請求項４に記載の発明に、駆動回転数が可変出来る圧縮機と、凝縮器に設置し凝縮温度を検出する凝縮温度検出器を有し、少なくとも１つの凝縮器ファンが異常による停止状態であることを検出した場合、圧縮機の駆動回転数の上限値を制限するので、凝縮器ファンが１つ以上故障したとき、圧縮機の高速回転を制限することで、さらに凝縮器温度を上昇する事を回避するので、圧縮機温度上昇による圧縮機の故障を防止することができる。
【００１６】
請求項６に記載の発明は、請求項１から請求項５に記載の発明に、少なくとも１つの凝縮器ファンが異常による停止状態であることを検出した場合、凝縮温度が一定温度以上であるとき、圧縮機の駆動回転数の下限値を制限するので、凝縮器温度が高い状態で圧縮機を低速で駆動したとき、圧縮機が脱調により停止することを防止するので、圧縮機停止による庫内温度の上昇を防ぐことができる。
【００１７】
請求項７に記載の発明は、請求項１から請求項６に記載の発明に、凝縮温度検出器の温度上昇の傾きにより、凝縮器ファンの異常を検出できるので、凝縮器ファンに停止検出機能を有したファンの使用や、電流検知回路や、停止検出回路等の停止検出回路を設ける必要がなく、低コスト化が実現できる。
【００１８】
請求項８に記載の発明は、請求項１から請求項７に記載の発明に、表示手段を有し、凝縮器ファンの異常を検出したとき、異常のあるファンを特定して警告表示を行うため、使用者は異常が発生していることを速やかに確認できるため、修理依頼等の早急な対応が可能となる。また修理者は異常のあるファンをすぐに特定できるため、修理時間が短縮できるなど、メンテナンス性を向上できる。
【００１９】
請求項９に記載の発明は、請求項１から８のいずれか1項に記載の冷凍冷蔵ユニットを冷蔵庫本体上部に備え、冷媒としてＨＣ冷媒を使用したものであり、高効率ではあるが圧縮比が高く圧縮機の耐久性確保が困難な冷媒使用時の冷蔵庫に対しても信頼性を確保することができる。
【００２０】
以下本発明による冷凍冷蔵ユニット及びこれを用いた冷蔵庫の実施の形態について、図面を参照しながら説明する。なお、従来と同一構成については同一符号を付して詳細な説明を省略する。
【００２１】
（実施の形態１）
図１は、本発明による冷凍冷蔵ユニット及びこれを用いた冷蔵庫の冷却システム概略図であり、図２は同実施の形態の冷凍冷蔵ユニット及びこれを用いた冷蔵庫のブロック図である。
【００２２】
図１において、本発明の冷却システムは、炭化水素冷媒（ＨＣ冷媒）で例えばＲ６００ａのガス状の冷媒を圧縮するブラシレスＤＣモータを使用した駆動速度が可変出来るインバータ圧縮機１と、ガス状の冷媒を凝縮する凝縮器２、液冷媒の圧力を減圧する減圧器３および液状の冷媒を蒸発させることで冷蔵庫内の食品を保存する貯蔵室４を冷却させる蒸発器５により構成されている。
【００２３】
また前記凝縮器２は２つの凝縮器ファン６ａ、６ｂにより、圧縮機１から送られた高温のガス冷媒を冷却することで、冷媒の凝縮を促進する。また、前記蒸発器５の近傍には、冷媒が蒸発する際に奪う気化熱により冷却された空気を貯蔵室内に循環させるため、２つの蒸発器ファンを７ａ、７ｂを有している。前記凝縮器ファン６ａ、６ｂおよび蒸発器ファン７ａ、７ｂは印加電圧により、回転数が可変出来るＤＣモータを採用している。
【００２４】
また、本実施例では凝縮器ファンおよび蒸発器ファンを各２つ備えているが、３つ以上設置していても構わない。凝縮温度検出器８は、前記凝縮器２に接触させた状態で設置し、冷媒の凝縮温度を検出し、凝縮温度が設定値より高い場合、前記圧縮機１の最高回転数と最低回転数を制限することで圧縮機の故障を防止するために設けている。
【００２５】
庫内温度検出器９は、冷蔵庫庫内の食品を貯蔵する貯蔵室４内に設置し、貯蔵室４の温度と貯蔵室の設定温度と比較することで、圧縮機の運転または停止および運転時の駆動回
転数を設定するために設けている。前記凝縮温度検出器８および前記庫内温度検出器９は図３に示すように、温度検出サーミスタおよび直列に接続された固定抵抗により構成され、サーミスタの抵抗と固定抵抗とによる分圧された電圧を出力する構成となっている。
【００２６】
次に図２において、直流電源１０は前記凝縮器ファン６ａ、６ｂを駆動するための電源である。この電源は、ＤＣ１２Ｖ±５％の出力電圧である。前記直流電源１０は、接続されている凝縮器ファンが冷却ユニットに組み込まれた状態で、ＤＣ１２Ｖ入力での正常駆動時最大電流は２００ｍＡで、ロック状態での最大電流が４００ｍＡの場合、前記直流電源の出力電流容量は、１つの凝縮器ファンが正常に駆動し、１つがロック状態となった場合（合計出力電流６００ｍＡ）でも、直流電源の出力１２Ｖ±５％が確保出来るように設計されている。
【００２７】
本実施例では、電源に凝縮器ファンのみを接続しているが、蒸発器ファン７ａ、７ｂも接続しても構わない。ただしこの場合、出力電流が最大のファンがロックしても、直流電源は所定の電圧を確保出来るように設計すべきである。また本実施例では直流電源１０の出力電圧を１２Ｖとしているが、１５Ｖや２４Ｖ等、ファンの仕様にあわせた任意の電圧で構わない。
【００２８】
庫内温度検出手段１１と凝縮温度検出手段１２は、それぞれ庫内温度検出器９、凝縮温度検出器８からの出力電圧をＡ／Ｄ変換する事で、庫内温度あるいは凝縮温度を検出するものである。凝縮器ファン駆動手段１３ａ、１３ｂは、制御部１４から受けた凝縮器ファン６ａ、６ｂを駆動する指令電圧、またはファンの駆動回転数により、直流電源１０から供給された電圧を所定の電圧に変換して、凝縮器ファン６ａ、６ｂに供給する。
【００２９】
圧縮機駆動手段１５は、前記制御部１４からの圧縮機１の駆動回転数指令（停止時は０ｒ／ｓ指令）を受けて圧縮機１を指令回転数により駆動するものである。なお、制御部１４による圧縮機１の駆動回転数は、庫内温度検出器９により検出した庫内温度と、制御部１４に予め設定された貯蔵室４の設定温度を基に決定されると共に、凝縮温度検出器８により検出された凝縮温度により最高回転数および最低回転数が制限される。
【００３０】
また凝縮器ファン６ａ、６ｂの駆動回転数または駆動電圧は、圧縮機１の駆動回転数および、凝縮温度検出器８の検出温度により決定する。表示手段１６は貯蔵室の設定温度または、現在の貯蔵室の室内温度あるいは、異常を検出したときの警告の表示を制御部１４からの表示指令を受けて表示するものである。
【００３１】
以上のように構成された冷凍冷蔵ユニット及びこれを用いた冷蔵庫の動作について説明する。まず圧縮機１の駆動状態の決定は、制御部１４に予め設定されてある貯蔵室の設定温度と、庫内温度検出器９により検出された庫内温度により圧縮機１の運転回転数を決定（例えば、圧縮機起動時の初期回転数を４０ｒ／ｓとして、設定温度より庫内温度が１℃以上高い場合、圧縮機回転数を５分おきに１０ｒ／ｓ上昇する。
【００３２】
庫内温度が設定温度より０℃以上１℃未満高い時は、圧縮機回転数を５分おきに１０ｒ／ｓ下降。庫内温度が設定温度より低くなれば、０ｒ／ｓ指令）することで、庫内温度が設定温度より大きく高い場合、圧縮機速度を増加していくことで庫内温度上昇時の冷却速度を早くすることができ、庫内温度が設定温度に近い時は圧縮機１を低速で駆動することで省エネ運転ができる。
【００３３】
また、図４は圧縮機使用範囲の蒸発（庫内）温度と凝縮温度との関係を示したものであり、斜線部の領域が圧縮機の使用範囲である。図４に示すように、蒸発（庫内）温度が高い（Ｔｊ以上）場合は、凝縮温度はＴｇまで許されており、蒸発（庫内）温度が低い（Ｔ
ｇ未満）場合は凝縮温度はＴｇより低く抑える必要がる。
【００３４】
従って、圧縮機駆動時は、庫内温度と凝縮温度を監視しながら、庫内温度に対する凝縮温度が圧縮機の使用範囲上限温度に近づいた時、または到達したとき、圧縮機１の回転数を低下させ、凝縮温度の上昇を抑制することで圧縮機１の故障を防止している。このように決定された圧縮機１の指令回転数により圧縮機駆動手段１５で圧縮機を駆動または停止する。
【００３５】
凝縮器ファン６ａ、６ｂの駆動状態の決定は、圧縮機１の駆動または停止に同期して、駆動または停止させる。圧縮機の駆動中は、凝縮温度検出器８により検出された温度により、駆動する電圧を決定（例えば、凝縮温度が３０℃未満での駆動電圧は８Ｖ、凝縮温度が３０℃異常４０℃未満では１０、凝縮温度４０℃を越える場合は１２Ｖ）することで、凝縮温度が高い程、駆動電圧を大きくし、凝縮器ファンを高速で駆動することにより、凝縮温度の異常上昇にともなう圧縮機１の故障を防止している。
【００３６】
また前記凝縮器ファン６ａ、６ｂは直流電源１０に並列接続されているため、１つの凝縮器ファンが断線等により停止した状態でも残りのファンの駆動は可能である。また、前記直流電源１０の電源容量は２つの凝縮器ファンの内１つがロック状態に陥った場合でも、規定の電圧（本実施例では１２Ｖ±５％）を安定して供給できる出力電流容量を有しているので、今凝縮器ファン６ａがロック状態となっても、凝縮器ファン６ｂは所定の電圧、所定の回転数で駆動する事ができる。
【００３７】
従って、凝縮器ファンのうち１つが断線またはロック状態による停止状態であっても凝縮器ファン６ｂは所定の電圧および回転数で安定した駆動ができるので、凝縮器の異常温度上昇を抑制できる。またこのときの圧縮機の指令回転数は、凝縮器ファン６ａの停止による凝縮器温度の上昇を検出し、圧縮機の最高回転数を制限することで、圧縮機の故障を防止し、さらに圧縮機の下限回転数も制限することで、凝縮温度が高く圧縮機の吸入圧力が高い状態での圧縮機の低速駆動による脱調停止を防止することで、貯蔵室内の温度上昇を防いでいる。
【００３８】
また圧縮機駆動時に凝縮温度検出器８により検出した凝縮温度の時間に対する上昇の傾きを制御部１４により算出し、一定の傾き以上になったときは、凝縮器の放熱が促されず、凝縮器中での冷媒凝縮開始位置が、凝縮器入り口から出口方向にシフトしていき凝縮温度検出器が高温の圧縮機の吐出ガス温度を検出された場合であるので、凝縮器ファン６ａ、６ｂの少なくとも１つが異常により停止していることが間接的に検出することが出来る。
【００３９】
このとき表示手段１６により異常警告を発することで、使用者は速やかに異常を認識できるため、修理依頼等の早急な対応により、凝縮器温度上昇に伴う圧縮機温度上昇による故障を防ぐことが可能となる。
【００４０】
（実施の形態２）
図５は、本発明の実施の形態２による冷凍冷蔵ユニット及びこれを用いた冷蔵庫のブロック図である。
【００４１】
図５において、凝縮器ファン異常検出手段１７ａ、１７ｂは、各ファンが正常に駆動しているか、異常により停止しているかを検出するものであり、検出方法としてはファンの電流を検出し予め設定された電流値の上限と下限の範囲内にあるかを比較することで実現する。また、ファン自体に異常時出力機能を有するものであれば、その出力信号で簡単に異常状態を検出できる。
【００４２】
また凝縮器ファン６ａ、６ｂの駆動回転数または駆動電圧は、圧縮機１の駆動回転数と、凝縮温度検出器８の検出温度、凝縮器ファン異常検出手段１７ａ、１７ｂによる凝縮器ファン６ａ、６ｂの駆動状態により決定する。本実施の形態は、実施の形態１による冷凍冷蔵ユニット及びこれを用いた冷蔵庫にさらに、凝縮器ファン異常検出手段１７ａ、１７ｂを設けたものである。
【００４３】
以上の様に構成された冷凍冷蔵ユニット及びこれを用いた冷蔵庫について以下その動作について説明する。
【００４４】
本実施の形態２では、凝縮器ファンが断線またはロック等による異常停止を検出出来るため、異常を検出したとき、該当するファンの出力を停止することで、直流電源１０の出力電流容量は、２つの凝縮器ファンが最高回転（本実施例ではＤＣ１２Ｖ印加時の回転数）で駆動しているときの合計（例えば１２Ｖ入力時の各ファンの出力電流は２００ｍＡとすると出力容量４００ｍＡ）としている。
【００４５】
従って直流電源の出力容量を抑えることが可能となり、電源の小型化と低コスト化を実現している。
【００４６】
今、凝縮器ファン駆動手段１３ａ、１３ｂにより凝縮器ファン６ａ、６ｂの駆動電圧として８Ｖが与えられていたとき、凝縮器ファン６ａの異常を検出したとき凝縮器ファン６ａの出力を停止するが、凝縮器ファン６ｂは駆動状態にあるので、凝縮器の急激な温度上昇に伴う圧縮機の温度上昇を抑制でき、圧縮機の故障を防止することができる。
【００４７】
さらにこのとき、凝縮器ファン駆動手段１３ｂにより凝縮器ファン６ｂを最高電圧（本実施例では１２Ｖ）で駆動する事で、凝縮器ファン６ａの停止で不足した風量を凝縮器ファン６ｂの高速駆動により補えることができ、凝縮器の温度上昇による圧縮機の温度上昇をより抑制することができる。
【００４８】
また、このとき図４に示す蒸発（庫内）温度と凝縮温度との関係で、庫内温度に対する凝縮温度が圧縮機の使用範囲上限温度に近づいた時、または到達したとき、凝縮温度がそれ以上上昇しないように、圧縮機１の上限回転数制限し、凝縮温度の上昇を制限し、圧縮機の故障を防止する。また同時に圧縮機の下限回転数も制限することで、凝縮温度が高く圧縮機の吸入圧力が高い状態での圧縮機の低速駆動時の脱調による停止で庫内温度が上昇する事を防止している。
【００４９】
次に表示手段について説明する。凝縮器ファン６ａ、６ｂが凝縮器ファン異常検出手段により異常停止していると検出されたときは、それまで表示していた貯蔵室内の温度あるいは、貯蔵室の設定温度の表示を停止して、制御手段１４は、異常停止状態である凝縮器ファンを特定した警告表示を表示手段１６に行うように指示し、表示手段１６はその指示に従って異常警告表示を発する。
【００５０】
これにより冷蔵庫の使用者は凝縮器ファンが異常状態にあることを認識できるため、修理依頼等の速やかな対応が可能となる。さらには、異常状態にある凝縮器ファンの特定により、修理依頼の際、どのファンが故障したかを告げることができる。また修理者も故障したファンを容易に特定出来るため、修理時間を短縮できスムーズな対応が可能となる。
【００５１】
なお異常警告表示は、異常状態にある凝縮器ファンを特定した異常表示ではなく、凝縮器ファンのいずれかが異常状態にある表示としても構わない。
【産業上の利用可能性】
【００５２】
以上のように本発明は、複数の凝縮器ファンは同一の電源に並列接続するので、１つの凝縮器ファンに異常が発生した場合でも、他の凝縮器ファンの駆動により凝縮器の放熱を行うことが出来るので、凝縮器の異常温度上昇による圧縮機の故障を防止することができ、冷凍空調機器の技術分野に適用できる。
【図面の簡単な説明】
【００５３】
【図１】本発明の実施の形態１の冷却システム概略図
【図２】同実施の形態のブロック図
【図３】同実施の形態の温度検出器の構成図
【図４】同実施の形態の圧縮機使用範囲の特性図
【図５】本発明の実施の形態２のブロック図
【図６】従来の冷蔵庫の異常検出装置の電気回路図
【符号の説明】
【００５４】
１    圧縮機
２    凝縮器
６ａ、６ｂ    凝縮器ファン
８    凝縮温度検出器
１０    直流電源
１６    表示手段
１７ａ、１７ｂ    凝縮器ファン異常検出手段
【図１】
2005140414.tif 000003
【図２】
2005140414.tif 000004
【図３】
2005140414.tif 000005
【図４】
2005140414.tif 000006
【図５】
2005140414.tif 000007
【図６】
2005140414.tif 000008